(57)【要約】【課題】表示内容を予め登録しておく必要がないうえ、一旦表示された表示画面を継続することができる携帯式情報表示装置等を提供する。【解決手段】携帯電子機器２と、この携帯電子機器２に一体的に設けられた電子ペーパーからなる表示部３とを備えている。前記携帯電子機器２は、外部装置４、７から送信される表示データを受信する受信手段２３と、受信した表示データを前記表示部３に表示させる表示制御手段２５と、を備えている。携帯電子機器２として、例えば、外部から前記表示部の表示切替電力を受領可能なＩＣカードが用いられる。【選択図】図２
2009187281.tif 000002
【特許請求の範囲】
【請求項１】
携帯電子機器と、この携帯電子機器に一体的に設けられた電子ペーパーからなる表示部とを備え、
前記携帯電子機器は、外部装置から送信される表示データを受信する受信手段と、受信した表示データを前記表示部に表示させる表示制御手段と、を備えていることを特徴とする携帯式情報表示装置。
【請求項２】
前記携帯電子機器は、外部から前記表示部の表示切替電力を受領可能なＩＣカードからなる請求項１に記載の携帯式情報表示装置。
【請求項３】
外部装置がサーバである請求項１または２に記載の携帯式情報表示装置。
【請求項４】
外部装置が携帯端末装置であり、該携帯端末装置は、予定時刻に達すると前記表示部に表示させる表示データを前記携帯電子機器に送信する請求項１または２に記載の携帯式情報表示装置。
【請求項５】
外部装置が携帯端末装置であり、該携帯端末装置は、予定位置に達すると前記表示部に表示させる表示データを前記携帯電子機器に送信する請求項１または２に記載の携帯式情報表示装置。
【請求項６】
電子ペーパーからなる表示部が携帯電子機器に一体的に設けられた携帯式情報表示装置と、携帯端末装置とを備え、
前記携帯式情報表示装置は、携帯端末装置から送信される表示データを受信する受信手段と、受信した表示データを前記表示部に表示させる表示制御手段と、を備え、
前記携帯端末装置は、予定時刻及び／又は予定位置に達すると前記表示部に表示させる表示データを前記携帯式情報表示装置に送信することを特徴とする携帯式情報表示システム。
【請求項７】
前記携帯電子機器は、前記携帯端末装置から前記表示部の表示切替電力を受領可能なＩＣカードからなり、前記携帯端末装置は、予定時刻及び／又は予定位置に達すると前記ＩＣカードに表示切替用電力を送信する請求項６に記載の携帯式情報表示システム。
【発明の詳細な説明】
【技術分野】
【０００１】
この発明は、各種の情報を表示可能な携帯式情報表示装置及び携帯式情報表示システムに関する。
【背景技術】
【０００２】
航空券や入場券などのチケット情報、身分証明用情報等の各種の情報を、１つの携帯式情報表示装置に切替可能に表示する技術が提案されている。
【０００３】
例えば、特許文献１には、航空券や入場券などのチケット情報を携帯式情報表示装置に表示させる技術として、入場もしくは搭乗する際に、表示装置の画面予約を切り替えながら表示させて、表示された情報を光学的に読み取って入場許可を与える、という技術が提案されている。
【０００４】
より具体的には、携帯式表示装置を改札機にかざした時に、表示装置に登録されている画面を捲って、改札機に適合した画面が表示されたら入場の許可を与えることにより、操作者が画面を捲って検索する手間を軽減できるというものである。
【特許文献１】特開２００５−２５８７４８号公報
【発明の開示】
【発明が解決しようとする課題】
【０００５】
しかし、特許文献１に記載された技術では、種々の画面を表示装置に予め登録しておく必要があるとともに、表示状態を継続するためには電力が必要となることから、表示の必要な場面が終了すると表示が消去されるものとなされていた。このため、再度表示させたい場合には、ユーザの操作が必要となり不便であった。
【０００６】
この発明は、このような技術的背景に鑑みてなされたものであって、表示内容を予め登録しておく必要がないうえ、一旦表示された表示画面を継続することができる携帯式情報表示装置を提供し、さらにはこの携帯式情報表示装置を用いた携帯式情報表示システムの提供を課題とする。
【課題を解決するための手段】
【０００７】
上記課題は、以下の手段によって解決される。
（１）携帯電子機器と、この携帯電子機器に一体的に設けられた電子ペーパーからなる表示部とを備え、前記携帯電子機器は、外部装置から送信される表示データを受信する受信手段と、受信した表示データを前記表示部に表示させる表示制御手段と、を備えていることを特徴とする携帯式情報表示装置。
（２）前記携帯電子機器は、外部から前記表示部の表示切替電力を受領可能なＩＣカードからなる前項１に記載の携帯式情報表示装置。
（３）外部装置がサーバである前項１または２に記載の携帯式情報表示装置。
（４）外部装置が携帯端末装置であり、該携帯端末装置は、予定時刻に達すると前記表示部に表示させる表示データを前記携帯電子機器に送信する前項１または２に記載の携帯式情報表示装置。
（５）外部装置が携帯端末装置であり、該携帯端末装置は、予定位置に達すると前記表示部に表示させる表示データを前記携帯電子機器に送信する前項１または２に記載の携帯式情報表示装置。
（６）電子ペーパーからなる表示部が携帯電子機器に一体的に設けられた携帯式情報表示装置と、携帯端末装置とを備え、前記携帯式情報表示装置は、携帯端末装置から送信される表示データを受信する受信手段と、受信した表示データを前記表示部に表示させる表示制御手段と、を備え、前記携帯端末装置は、予定時刻及び／又は予定位置に達すると前記表示部に表示させる表示データを前記携帯式情報表示装置に送信することを特徴とする携帯式情報表示システム。
（７）前記携帯電子機器は、前記携帯端末装置から前記表示部の表示切替電力を受領可能なＩＣカードからなり、前記携帯端末装置は、予定時刻及び／又は予定位置に達すると前記ＩＣカードに表示切替用電力を送信する前項６に記載の携帯式情報表示システム。
【発明の効果】
【０００８】
前項（１）に記載の発明によれば、外部装置から送信される表示データを受信して、その表示データを電子ペーパーからなる表示部に表示するから、情報表示装置自体に、場面等に応じた多数の表示データを登録しておかなくても、外部装置から送信される表示データを、操作者の操作を必要とすることなく、必要な場面で適切に表示することができる。しかも、表示部は電子ペーパーからなるから、表示状態を維持することができる。
【０００９】
前項（２）に記載の発明によれば、携帯電子機器は、電子ペーパーからなる表示部の表示切替電力を外部装置から受領可能なＩＣカードからなるから、表示部の表示切替のための電池等を所有しておく必要もなく、軽量簡易な携帯式情報表示装置となしえ、極めて便利である。
【００１０】
前項（３）に記載の発明によれば、サーバから送信される表示データを電子ペーパーからなる表示部に表示することができる。
【００１１】
前項（４）に記載の発明によれば、携帯端末装置から予定時刻に送信される表示データを電子ペーパーからなる表示部に表示することができる。
【００１２】
前項（５）に記載の発明によれば、携帯端末装置から予定位置に達したときに送信される表示データを電子ペーパーからなる表示部に表示することができる。
【００１３】
前項（６）に記載の発明によれば、携帯端末装置から予定時刻及び／又は予定位置に達したときに送信される表示データを電子ペーパーからなる表示部に表示することができる表示システムとなしうる。
【００１４】
前項（７）に記載の発明によれば、電子ペーパーからなる表示部の表示切替のための電池等を、情報表示装置に所有しておく必要がなく、軽量簡易な携帯式情報表示装置を備えたシステムとなしうる。
【発明を実施するための最良の形態】
【００１５】
次にこの発明の一実施形態を説明する。
【００１６】
図１は、この発明の一実施形態に係る携帯式情報表示装置の構成図、図２はブロック図である。
【００１７】
図１に示すように、携帯式情報表示装置１は、携帯電子機器としてのＩＣカード２の表面に電子ペーパーからなる表示部（以下、電子ペーパー表示部という）３が貼付されて一体化されてなるとともに、ＩＣカード２と電子ペーパー３は電気的に接続されている。
【００１８】
前記ＩＣカードは、アンテナ側からの非接触電力伝送技術により電池が不要な無線ＩＣタグであるＲＦＩＤ（Radio Frequency Identification）タグ等から構成され、図２に示すように、ＣＰＵ２１と、メモリ２２と、変復調器２３と、暗号処理部２４と、表示コントローラ２５を備えている。
【００１９】
前記ＣＰＵ２１は、携帯式情報表示装置１の全体を統括的に制御するものである。また、メモリ２２はＣＰＵ２１に記憶されているプログラムや、携帯式情報表示装置１の所有者であるユーザＩＤやその他のデータを記憶する。
【００２０】
変復調器２３は、ＩＣカード２の周縁部内側に配置された受信アンテナ２６で受信した外部からの信号を復調し、また外部へ送信される信号を変調する。
【００２１】
暗号処理部２４は、外部からの暗号化された信号を復号化したり、外部への信号を暗号化するものであり、表示コントローラ２５は、電子ペーパー表示部３への表示データの表示や切り替え等を制御する。
【００２２】
なお、この実施形態では、ＩＣカード２は自らは電源を持たず、電子ペーパー表示部３に表示させる表示データの送信時（切替時）に外部装置側のリーダ/ライタのアンテナが放つ電波により、電磁誘導を起こすなどの手段で回路を駆動し動作する。
【００２３】
次に、表示部３を構成する電子ペーパーの原理について説明するが、この原理は公知であるため詳細な説明は省略し、概略のみ述べる。
【００２４】
電子ペーパーには様々な方式があるが、構造としてはフィルター層/インク層/ドライバ層/フィルター層のサンドイッチ構造が一般的である。
【００２５】
フィルター層は、インク層及びドライバ層を保護するものであり、インク層は、白と青の２色の液体を収めた「マイクロカプセル」や、上下で２色に塗り分けられた「帯電ビーズ」が敷き詰められており、いずれも通常、表面は「白」を表現する状態になっている。
【００２６】
ドライバ層は、表示させたい内容に応じてインク層の必要部分にマイナスの電場を与える。すると、マイクロカプセルの場合は、電気泳動現象によって白い液体の粒子が裏面に引き込まれ、表面には青い液体だけが集まる。これが、電子ペーパー上で「黒」として表示される。帯電ビーズの場合も同様に、電荷に応じてビーズが回転し、白と黒を表現する。また、コストダウンと形状/サイズの自由化を目的として、ドライバ層をなくし、ＩＣカード側の装置によって書き換えるタイプであっても良い。
【００２７】
図３は、図１及び図２に示した携帯式情報表示装置の使用方法を説明するための図である。
【００２８】
携帯式情報表示装置１は、改札機、搭乗機、入室管理装置等の入出力端末装置５にかざすあるいはタッチすることにより、電子ペーパー表示部３に情報が表示される。
【００２９】
前記入出力端末装置５は、ネットワーク６を介してサーバ４に接続されており、サーバ４と入出力端末装置５はネットワーク６を通じてデータの授受を行う。
【００３０】
また、前記入出力端末装置５は、ＩＣカード２の変復調器２３を介して、ＩＣカード２に電力を供給したりデータの送受信を行うためのリーダ／ライタを備えている。
【００３１】
まず、携帯式情報表示装置１の所有者が携帯式情報表示装置１を入出力端末装置５にかざすあるいはタッチすると、携帯式情報表示装置１は入出力端末装置５から非接触で給電される。そして、携帯式情報表示装置１は、メモリ２２に格納されているユーザＩＤを入出力端末装置５に送信する。
【００３２】
ユーザＩＤを受信した入出力端末装置５は、ネットワーク６を介してユーザＩＤをサーバ４に送信する。サーバ４は受信したユーザＩＤの認証を行い、認証結果及び必要なら表示データを入出力端末装置５に送信する。
【００３３】
入出力端末装置５は、認証結果を携帯式情報表示装置１に送信し、さらにサーバ４から表示データが送信されてきた場合には、表示データを携帯式情報表示装置１に送信する。
【００３４】
表示データを受信した携帯式情報表示装置１のＣＰＵ２１は、表示コントローラ２５を起動して、その表示データを電子ペーパー表示部３に表示する。電子ペーパー表示部３は、表示データを表示した後は、電圧を印加しなくてもその表示状態を保持するから、携帯式情報表示装置１を入出力端末装置５から離間させても、表示データの表示が維持される。
【００３５】
このように、サーバ４からの表示データを受信して、その表示データを電子ペーパー表示部３に表示するから、情報表示装置１自体に、場面等に応じた多数の表示データを登録しておかなくても、必要な場面で適切な表示を行うことができる。しかも、電子ペーパー表示部３は、電力供給がなくても表示内容を維持することができるから、例えば、入出力端末装置５に情報表示装置１をかざしあるいはタッチしたときに、情報表示装置１にユーザの入場資格や目的などを表示するようにしておけば、改札機等の入出力端末装置５を通過した後、入場資格や目的を確認する必要が生じたような場面でも、容易に確認作業を行うことができる。
【００３６】
なお、情報表示装置１の電子ペーパー表示部３に表示されるデータの内容は、限定されることはなく、各種の場面で必要とされる表示データをサーバ４から送信して、表示させればよい。
【００３７】
例えば、職場の入門改札機にタッチすることにより、図４（ａ）に示すような従業員証が切替表示されても良い。また、必要があれば、入門した事業所に応じて、部署と肩書きの表示に切り替えられても良い。
【００３８】
また、訪問先の入門改札機にタッチすると、図４（ｂ）に示すような入門証が切替表示されても良い。
【００３９】
また、鉄道駅の自動改札機にタッチすると、図４（ｃ）に示すような定期券や乗車券が切替表示されても良い。タッチした日に指定席券を予約している場合には、図４（ｄ）に示すように、乗車順に指定券が表示されても良い。なお、出札機にタッチすると、使用された指定券と予約券の表示が解除される構成としても良い。
【００４０】
また、空港の搭乗改札機にタッチすると、搭乗券が切替表示されても良い。
【００４１】
また、総合病院の予約機にタッチすると、診察券と予約券が切替表示されても良い。全ての診察後に処方箋があれば処方箋が表示され、ない場合は次回予約が表示されても良い。
【００４２】
また、テーマパークの改札機にタッチすると、図４（ｅ）に示すような入場券が表示されても良い。さらに、アトラクションの予約機にタッチすると予約券が表示され、終了した予約券の表示は解除されるようにしても良い。また、出口の改札機にタッチすると、入場券と予約券の表示が解除される構成としても良い。
【００４３】
プリペイド型電子マネー決済システムにおける支払機にタッチすると、残金やポイントが表示されても良い。
【００４４】
図５は、図１及び図２に示した携帯式情報表示装置１の動作を示すフローチャートである。この動作は、ＣＰＵ２１がメモリ２２に記憶されたプログラムに従って動作することにより実行される。
【００４５】
ステップＳ０１で、入出力端末装置５から電力供給を受けたかどうかが判断される。電力供給がなかった場合には（ステップＳ０１でＮＯ）、電力供給を受けるまで待つ。電力供給を受けると（ステップＳ０１でＹＥＳ）、ステップＳ０２で、メモリ２２に記憶されたユーザＩＤを変復調器２３を介して出力する。
【００４６】
出力されたユーザＩＤは、入出力端末装置５で受信され、ネットワーク６を通じてサーバ４に送信され、サーバ４で認証される。サーバ４は認証結果を入出力端末装置５に送信し、入出力端末装置５はサーバ４からの認証結果を携帯式情報表示装置１に送信し、表示データが存在するときは表示データも送信する。
【００４７】
認証結果を受信した携帯式情報表示装置１は、ステップＳ０３で、認証成功かどうかを判断し、認証成功でなければ（ステップＳ０３でＮＯ）、ステップＳ０１に戻る。認証成功であれば（ステップＳ０３でＹＥＳ）、ステップＳ０４で、入出力端末装置５から表示データを受信したかどうかを判断し、表示データを受信しない場合は（ステップＳ０４でＮＯ）、ステップＳ０１に戻る。表示データが存在しない場合としては、例えば、改札機の通過を許容するかどうかのみをユーザＩＤに基づいてサーバ４が判断するような場合である。
【００４８】
表示データを受信した場合は（ステップＳ０４でＹＥＳ）、ステップＳ０５で、表示コントローラ２５を起動し、ステップＳ０６で、表示データを電子ペーパー表示部３に表示させるための処理を実行する。この処理は、前記入出力端末装置５から供給された電力により実行され、またこの処理により、電子ペーパー表示部３の表示内容が切り替えられる。
【００４９】
表示処理後、ステップＳ０７で、表示コントローラ２５を停止してステップＳ０１に戻る。
【００５０】
図６は、この発明の他の実施形態に係る携帯式情報表示システムを示すものである。このシステムでは、携帯式情報表示装置１の電子ペーパー表示部３に表示される表示データが、ユーザが所有する携帯端末装置７から送信されるものとなされている。
【００５１】
携帯式情報表示装置１の構成は、図１及び図２に示した実施形態と同じであるので、その説明は省略する。
【００５２】
携帯端末装置７は、ＣＰＵ７１、リーダ／ライタ７２、記憶部７３、操作部７４、表示部７５、位置検出部７６等を備えている。
【００５３】
前記ＣＰＵ７１は、携帯端末装置７の全体を制御する。
【００５４】
前記リーダ／ライタ７２は、ＩＣカード２の変復調器２３を介して、ＩＣカード２に電力を供給したりデータの送受信を行う。
【００５５】
前記記憶部７３は、ＣＰＵ７１の動作プログラムを始め、各種のデータを記憶するものである。この実施形態では、ユーザＩＤやユーザの写真、予定表等が記憶されている。
【００５６】
前記操作部７４は、ユーザが携帯端末装置７の操作を行うためのものであり、表示部７５はユーザが行った操作の内容や携帯端末装置７の状態などを表示する。
【００５７】
前記位置検出部７６は、例えばＧＰＳ（Global Positioning System）などを用いて、ユーザ（携帯端末装置７）の現在位置を検出するものである。
【００５８】
なお、携帯端末装置７には、各部を動作させるための電池７７が備えられている。
【００５９】
次に、図６の携帯式情報表示システムの動作を説明する。
【００６０】
まず、ユーザは例えばテーマパーク、病院等における予約が成立したときに、携帯式情報表示装置１の電子ペーパー表示部３に表示させる内容と予約時間を、携帯端末装置７の記憶部７３に記憶させる。携帯端末装置７は、予約時間に基づいて、予定表を作成し、記憶部７３に記憶する。そして、予定時間が到来すると表示データを携帯式情報表示装置１へ送信する。
【００６１】
図７（ａ）は、図６に示した携帯式情報表示システムにおける携帯端末装置７の動作を示すフローチャート、同図（ｂ）は同じく携帯式情報表示装置１の動作を示すフローチャートである。
【００６２】
図７（ａ）において、携帯端末装置７のＣＰＵ７１はステップＳ１１で、記憶部７３に記憶されている予定表を読み込んだのち、ステップＳ１２で、予定時刻が到来したかどうかを判断する。予定時刻が到来しなければ（ステップＳ１２でＮＯ）、到来するまで待つ。到来すると（ステップＳ１２でＹＥＳ）、ステップＳ１３で、携帯式情報表示装置１に対して表示データの切替のための電力供給を行い、続いてステップＳ１４で予約内容等を示す表示データを送信する。
【００６３】
一方、携帯式情報表示装置１は、図７（ｂ）に示すように、ステップＳ２１で、携帯端末装置７から電力供給を受けたかどうかが判断される。電力供給がなかった場合には（ステップＳ２１でＮＯ）、電力供給を受けるまで待つ。電力供給を受けると（ステップＳ２１でＹＥＳ）、ステップＳ２２で、携帯端末装置７から表示データを受信したかどうかを判断し、表示データを受信しない場合は（ステップＳ２２でＮＯ）、ステップＳ２１に戻る。
【００６４】
表示データを受信した場合は（ステップＳ２２でＹＥＳ）、ステップＳ２３で、表示コントローラ２５を起動し、ステップＳ２４で、表示データを電子ペーパー表示部３に表示させるための処理を実行する。この処理は、前記携帯端末装置７から供給された電力により実行され、またこの処理により、電子ペーパー表示部３の表示内容が切り替えられる。
【００６５】
表示処理後、ステップＳ２５で、表示コントローラ２５を停止してステップＳ０１に戻る。
【００６６】
図８はこの発明のさらに他の実施形態を示すものである。この実施形態では、予定時刻の到来に加えて、ユーザ（携帯端末装置７）が予定位置に到達した場合に、電子ペーパー表示部３の表示内容を切り替えるようにしたものである。
【００６７】
携帯端末装置７には、前述した予定表が作成・記憶されているが、この予定表から予定場所の位置を検索する。そして、携帯端末装置７の位置検出部７６によりユーザ（携帯端末装置７）の位置が検出され、予定場所に達すると表示データを携帯式情報表示装置１へ送信する。
【００６８】
図８は、図６に示した携帯式情報表示システムにおける携帯端末装置７の動作を示すフローチャートである。
【００６９】
携帯端末装置７のＣＰＵ７１はステップＳ３１で、記憶部７３に記憶されている予定表を読み込み、さらにステップＳ３２で予定表にある住所を読み込み、ステップＳ３３で、位置検出部７６を用いてユーザ（携帯端末装置７）の位置検出を行う。
【００７０】
次に、ステップＳ３４で、予定時刻が到来したかどうかを判断する。予定時刻が到来すれば（ステップＳ３４でＹＥＳ）、ステップＳ３６に進む。予定時刻が到来しなければ（ステップＳ２４でＮＯ）、ステップＳ３５で、予定場所に到着したかどうかが判断される。到着しなければ（ステップＳ３５でＮＯ）、ステップＳ３４に戻る。到着すれば（ステップＳ３５でＹＥＳ）、ステップＳ３６に進む。
【００７１】
ステップＳ３６では、携帯式情報表示装置１に対して表示データの切替のための電力供給を行い、続いてステップＳ３７で予約内容等を示す表示データを送信する。
【００７２】
なお、携帯式情報表示装置１の動作は、図７（ｂ）のフローチャートに示した動作と同じであり、説明は省略する。
【００７３】
以上、本発明の一実施形態を説明したが、本発明は上記実施形態に限定されることはない。例えば、携帯式情報表示装置１が電池を有しない形態のものとして説明したが、電池を内蔵していても良い。
【００７４】
また、図８のシステムにおいては、予定時刻が到来したかどうかと、ユーザ（携帯端末装置７）が予定場所に到達したかどうかを判断する構成としたが、予定場所に到達したかどうかのみを判断する構成としても良い。
【図面の簡単な説明】
【００７５】
【図１】この発明の一実施形態に係る携帯式情報表示装置の構成を示す図である。
【図２】同じく携帯式情報表示装置のブロック図である。
【図３】携帯式情報表示装置の使用方法を説明するための図である。
【図４】携帯式情報表示装置による表示例を示す図である。
【図５】図１及び図２の携帯式情報表示装置の動作を示すフローチャートである。
【図６】この発明の他の実施形態に係る携帯式情報表示システムの構成を示すブロック図である。
【図７】（ａ）は図６の携帯式情報表示システムにおける携帯端末装置の動作を示すフローチャート、（ｂ）は同じく携帯式情報表示装置の動作を示すフローチャートである。
【図８】この発明の他の実施形態を示すもので、携帯端末装置の動作を示すフローチャートである。
【符号の説明】
【００７６】
１    携帯式情報表示装置
２    ＩＣカード（携帯電子機器）
３    電子ペーパー表示部
４    サーバ
５    入出力端末装置
６    ネットワーク
７    携帯端末装置
２１    ＣＰＵ
２２    メモリ
２３    変復調器
２５    表示コントローラ
【図１】
2009187281.tif 000003
【図２】
2009187281.tif 000004
【図３】
2009187281.tif 000005
【図４】
2009187281.tif 000006
【図５】
2009187281.tif 000007
【図６】
2009187281.tif 000008
【図７】
2009187281.tif 000009
【図８】
2009187281.tif 000010